(57)【特許請求の範囲】
【請求項１】
表示手段を有する座標入力装置である表示機能付座標入力装置であって、
入力面においてユーザ指示操作がされたことを検出するユーザ指示操作検出手段と、
前記ユーザ指示操作検出手段により検出されたユーザ指示操作により指示された前記入力面上の位置を示す座標を取得する座標取得手段と、
前記座標取得手段により取得される１又は複数の座標が所定の条件に合致するか否かを判定する判定手段と、
前記入力面を照らす照明手段と、
前記表示手段の動作及び前記照明手段の動作を制御する制御手段と、
を含み、
前記制御手段は、
前記表示手段及び前記照明手段の双方の動作を制限する第３低消費電力モードが有効である場合に、前記ユーザ指示操作検出手段によりユーザ指示操作が検出されると、前記表示手段の動作を制限し前記照明手段を動作させる第２低消費電力モードを有効にし、
前記第２低消費電力モードが有効である場合には、前記座標取得手段により取得される１又は複数の座標が前記所定の条件に合致すると判断されると、前記表示手段及び前記照明手段の双方を動作させる通常動作モードを有効にする、
ことを特徴とする表示機能付座標入力装置。
【請求項２】
請求項１に記載の表示機能付座標入力装置において、
パターン画像を示すパターン画像情報を記憶するパターン画像情報記憶手段、
をさらに含み、
前記判定手段は、前記座標取得手段により取得される１又は複数の座標が前記パターン画像情報記憶手段に記憶されるパターン画像情報により示されるパターン画像を構成するか否かを判定する、
ことを特徴とする表示機能付座標入力装置。
【請求項３】
請求項１又は２に記載の表示機能付座標入力装置において、
前記制御手段は、前記第２低消費電力モードが有効である場合に、前記座標取得手段により取得される１又は複数の座標が前記所定の条件に合致しないと判断されると、前記第３低消費電力モードを有効にする、
ことを特徴とする表示機能付座標入力装置。
【請求項４】
請求項１から３のいずれかに記載の表示機能付座標入力装置において、
前記制御手段は、前記通常動作モードが有効である場合に、前記ユーザ指示操作検出手段によりユーザ指示操作が所定時間以上検出されなければ、前記表示手段の動作を制限し前記照明手段を動作させる第１低消費電力モードを有効にする、
ことを特徴とする表示機能付座標入力装置。
【請求項５】
請求項４に記載の表示機能付座標入力装置において、
前記制御手段は、前記第１低消費電力モードが有効である場合に、前記ユーザ指示操作検出手段によりユーザ指示操作が所定時間以上検出されなければ、前記第３低消費電力モードを有効にする、
ことを特徴とする表示機能付座標入力装置。
【発明の詳細な説明】
【技術分野】
【０００１】
本発明は表示機能付座標入力装置に関し、特にその消費電力を低減するための技術に関する。
【背景技術】
【０００２】
近年のコンピュータには、座標入力装置の入力面（例えばタッチパネル）をディスプレイのような表示手段として利用する表示機能付座標入力装置として機能するものがある。表示機能付座標入力装置では、特に表示機能により表示を行う際の消費電力が大きく、コンピュータを表示機能付座標入力装置として使用するにあたっては、その消費電力の低減が課題となり、この課題を解決するための種々の試みがなされている。
【０００３】
一例では、通常動作モードと、表示機能を停止させることによって消費電力を抑える低消費電力モードと、を用意し、通常動作モードにおいて所定時間入力面でのユーザ指示操作が検出されなければ低消費電力モードに移行し、低消費電力モードで入力面でのユーザ指示操作が検出されれば通常動作モードに移行するようにしているものがある（例えば、特許文献１）。
【特許文献１】特開平１０−１１１７４９号公報
【発明の開示】
【発明が解決しようとする課題】
【０００４】
しかしながら、上記従来の技術では、ユーザが入力面に誤接触しただけでも低消費電力モードから通常動作モードに移行してしまう。この場合、無駄に電力が消費されることとなってしまうという問題がある。
【０００５】
なお、この問題は、座標入力装置の入力面を表示手段として利用する表示機能付座標入力装置に限って発生するものではなく、例えばタッチパネル付携帯電話のように、座標入力装置の入力面と表示手段とが分離されている表示機能付座標入力装置でも同様な問題が発生する。
【０００６】
従って、本発明の課題の一つは、入力面への誤接触による通常動作モードへの移行を抑制することを実現する表示機能付座標入力装置を提供することにある。
【課題を解決するための手段】
【０００７】
上記課題を解決するための本発明にかかる表示機能付座標入力装置は、表示手段を有する座標入力装置である表示機能付座標入力装置であって、入力面においてユーザ指示操作がされたことを検出するユーザ指示操作検出手段と、前記ユーザ指示操作検出手段により検出されたユーザ指示操作により指示された前記入力面上の位置を示す座標を取得する座標取得手段と、前記座標取得手段により取得される１又は複数の座標が所定の条件に合致するか否かを判定する判定手段と、前記判定手段の判定結果に基づいて、前記表示手段の動作を制限する表示手段動作制限手段と、を含むことを特徴とする。
【０００８】
これによれば、座標が所定の条件に合致するか否かに基づいて表示手段の動作を制限することができる。一例では、ユーザ指示位置が三角形を構成している場合にのみ、表示手段の動作を制限するようにすることができる。このため、誤接触による通常動作モードへの移行が抑制される。
【０００９】
また、上記表示機能付座標入力装置において、パターン画像を示すパターン画像情報を記憶するパターン画像情報記憶手段、をさらに含み、前記判定手段は、前記座標取得手段により取得される１又は複数の座標が前記パターン画像情報記憶手段に記憶されるパターン画像情報により示されるパターン画像を構成するか否かを判定する、こととしてもよい。
【００１０】
これによれば、座標がパターン画像を構成するか否かに基づいて表示手段の動作を制限することができる。
【００１１】
さらに、上記各表示機能付座標入力装置において、前記入力面を照らす照明手段と、前記ユーザ指示操作検出手段によりユーザ指示操作が検出されたか否かに応じて、前記照明手段を制御する照明手段制御手段と、をさらに含むこととしてもよい。
【００１２】
これによれば、ユーザが指示操作をしている間入力面を照らすことができるので、入力面上を指示すべきところ誤って入力面外を指示してしまうなど、ユーザの誤操作を防止することができるようになる。
【発明を実施するための最良の形態】
【００１３】
本発明の実施の形態について、図面を参照しながら説明する。
【００１４】
図１は本実施の形態にかかる携帯電話１の外観を示す図である。携帯電話１は表示機能付座標入力装置として機能する折り畳み式の携帯電話であり、タッチスクリーン１０、ＬＣＤ（Liquid Crystal Display：液晶表示装置）２０、電源ボタン３０、選択ボタン３１、スクロールボタン３２を備えて構成される。
【００１５】
また、図２は、携帯電話１のシステム構成を示す図である。同図に示すように、携帯電話１は、ＣＰＵ１００、メモリ１０１、音声入出力部１０２、ベースバンド処理部１０３、ＬＣＤ制御部１０４、メモリ１０５、タッチパネル制御部１０６、メモリ１０７、タッチスクリーン１０、ＬＣＤ２０を含んで構成される。
【００１６】
ＣＰＵ１００は、携帯電話１の各部の制御や通信にかかわる処理を行う。メモリ１０１はＣＰＵ１００の処理に利用される各種データを記憶する。
【００１７】
音声入出力部１０２は、マイク及びスピーカを備え、ユーザの発した音声を収音し、電気信号としてＣＰＵ１００に出力するとともに、ＣＰＵ１００から入力された電気信号を音声に変換して出力する。
【００１８】
ベースバンド処理部１０３は、基地局装置（不図示）から無線信号を受信し、所定の周波数（ベースバンド周波数）の信号に変換して、ＣＰＵ１００に出力する。また、ＣＰＵ１００から入力された信号を、無線信号に変換して基地局装置に対して送信する。
【００１９】
タッチスクリーン１０は座標入力装置の入力面として機能するタッチパネル３００を備えており、さらにその入力面は、表示装置であるＬＣＤ３０１としても機能する。ユーザが入力面にタッチすると、タッチパネル３００は、タッチされた位置の座標を示す座標情報を取得し、タッチパネル制御部１０６に出力する。ＬＣＤ３０１は、ＬＣＤ制御部１０４の指示に従って情報を表示する。
【００２０】
ＬＣＤ２０も、ＬＣＤ制御部１０４の指示に従い、情報を表示する表示装置である。上述のようにタッチスクリーン１０も表示装置を備えており、携帯電話１は表示装置を２つ備えている。
【００２１】
ＬＣＤ３０１及びＬＣＤ２０は、それぞれＬＥＤ（Light-Emitting Diode：発光ダイオード）３０２及びＬＥＤ２００を備えている。ＬＥＤ３０２及びＬＥＤ２００は、いずれもバックライトとして機能する。ＬＥＤ３０２は、タッチパネル３００の入力面を照らす照明手段としても機能する。
【００２２】
タッチパネル制御部１０６は、タッチパネル３００の制御を行う。具体的には、タッチパネル３００から入力される座標情報をＣＰＵ１００に出力する。メモリ１０７はタッチパネル制御部１０６の処理に利用される各種データを記憶する。
【００２３】
携帯電話１は、ＬＣＤ２０、ＬＥＤ２００、ＬＣＤ３０１、及びＬＥＤ３０２がいずれも点灯／表示する通常動作モード、ＬＣＤ２０及びＬＣＤ３０１が表示し、ＬＥＤ２００及びＬＥＤ３０２が消灯する第１低消費電力モード、ＬＣＤ２０、ＬＥＤ２００、及びＬＣＤ３０１が消灯／非表示となり、ＬＥＤ３０２が点灯する第２低消費電力モード、ＬＣＤ２０、ＬＥＤ２００、ＬＣＤ３０１、及びＬＥＤ３０２がいずれも消灯／非表示となる第３低消費電力モードのいずれかにより動作する。タッチパネル制御部１０６は、これらのモードを切り替えることにより、いずれかのモードを有効にする。図５は、これらのモード間の遷移を示す遷移図である。このための処理の詳細については後述する。
【００２４】
ＬＣＤ制御部１０４は、ＬＣＤ３０１及びＬＣＤ２０の制御を行う。具体的には、ＣＰＵ１００から入力される情報を、ＬＣＤ２０又はＬＣＤ３０１に表示させる。メモリ１０５はＬＣＤ制御部１０４の処理に利用される各種データを記憶する。
【００２５】
以下、ユーザによる携帯電話１の操作にかかる機能について説明する。
【００２６】
電源ボタン３０、選択ボタン３１、スクロールボタン３２は、ハードウェアとして携帯電話１に備えられる操作手段である。一方、タッチスクリーン１０は、ソフトウェアによる操作手段を実現する。以下、それぞれについて詳細に説明する。
【００２７】
電源ボタン３０は、携帯電話１の電源をオン／オフするための押しボタンである。ユーザが電源ボタン３０を押下することにより、携帯電話１の電源のオン／オフが切り替えられる。
【００２８】
選択ボタン３１及びスクロールボタン３２は、ＬＣＤ２０に表示されているオブジェクト（アイコンやリンクなど）をユーザが選択する際に使用される。すなわち、ユーザは、スクロールボタン３２により、ＬＣＤ２０上に表示されている１又は複数のオブジェクトのうちいずれか１つをハイライトさせる。あるオブジェクトがハイライトされている間にユーザが選択ボタン３１を押下すると、ＣＰＵ１００は該オブジェクトに応じた処理を開始する。
【００２９】
次に、タッチスクリーン１０により実現される操作手段について説明する。図３は、ＬＣＤ３０１、すなわちタッチパネル３００の入力面に表示される画面の初期状態（初期画面）を示す図である。同図に示すように、初期状態では「お絵かき」、「発信」、「着信」、「Ｅ−ＭＡＩＬ」、「０」〜「９」、「＊」、「＃」の各アイコンがＬＣＤ３０１に表示される。
【００３０】
ユーザが「発信」アイコンにタッチすると、ＣＰＵ１００は、「発信」アイコンを表示している位置の座標を示す座標情報を取得する。この座標情報が取得されたことにより、ＣＰＵ１００は「発信」アイコンがタッチされたことを検出し、発信処理を開始する。
【００３１】
このとき、発信先電話番号等は、ユーザが「０」〜「９」、「＊」、又は「＃」の各アイコンにタッチすることにより指定する。このときもＣＰＵ１００は、ユーザがタッチしたアイコンを表示している位置の座標を示す座標情報を取得する。この座標情報が取得されたことにより、ＣＰＵ１００は「０」〜「９」、「＊」、又は「＃」の各アイコンがタッチされたことを検出する。
【００３２】
ユーザが「着信」アイコンにタッチすると、ＣＰＵ１００は、「着信」アイコンを表示している位置の座標を示す座標情報を取得する。この座標情報が取得されたことにより、ＣＰＵ１００は「着信」アイコンがタッチされたことを検出する。ＣＰＵ１００は、着信しているときに「着信」アイコンがタッチされたことを検出すると、着信処理を開始する。
【００３３】
ユーザが「Ｅ−ＭＡＩＬ」アイコンにタッチすると、ＣＰＵ１００は、「Ｅ−ＭＡＩＬ」アイコンを表示している位置の座標を示す座標情報を取得する。この座標情報が取得されたことにより、ＣＰＵ１００は「Ｅ−ＭＡＩＬ」アイコンがタッチされたことを検出し、電子メールに関する所定の処理を開始する。
【００３４】
ユーザが「お絵かき」アイコンにタッチすると、ＣＰＵ１００は、「お絵かき」アイコンを表示している位置の座標を示す座標情報を取得する。この座標情報が取得されたことにより、ＣＰＵ１００は「お絵かき」アイコンがタッチされたことを検出し、ＬＣＤ３０１に表示される画面を、初期状態から「文字入力／お絵かき」画面に遷移させる。
【００３５】
図４は、ＬＣＤ３０１に「文字入力／お絵かき」画面を表示させた状態の携帯電話１の外観を示す図である。同図に示すように、「文字入力／お絵かき」画面では、発信アイコン１１、着信アイコン１２、お絵かきエリア１３、線幅選択アイコン１４、消しゴムアイコン１５、色選択アイコン１６がＬＣＤ３０１に表示される。
【００３６】
ユーザが発信アイコン１１、着信アイコン１２にタッチしたときのＣＰＵ１００の処理は、ユーザが初期画面において「発信」アイコン及び「着信」アイコンにタッチしたときの上述の処理と同様である。
【００３７】
お絵かきエリア１３は複数のドットから構成されている。ユーザはタッチ位置を順次移動させ、その軌跡により文字や絵を入力する。このとき、ＣＰＵ１００は、各タッチ位置に応じて座標情報を順次取得し、この座標情報から、お絵かきエリア１３を構成する各ドットのうち、ユーザによりタッチされたドットを取得する。
【００３８】
ユーザは、線幅選択アイコン１４によりお絵かきエリア１３に文字や絵を描き込む際の線の太さを選択する。ＣＰＵ１００は、ユーザにより選択された線の太さに応じて、座標情報からドットを取得する。
【００３９】
メモリ１０１には、お絵かきエリア１３を構成する各ドットと、色情報（黒、白、赤、黄、青、透明などの各色のうち、該ドットがいずれであるかを示す情報）と、が対応付けて記憶される。ユーザは、色選択アイコン１６により色を指定する。ＣＰＵ１００は、上述のようにして取得したドットと、該ドットが取得されたとき色選択アイコン１６により指定されていた色と、を対応付けてメモリ１０１に記憶させる。
【００４０】
なお、ユーザは、消しゴムアイコン１５で消しゴムモードを指定することもできる。消しゴムモードが指定されている間、ＣＰＵ１００は、上述のようにして取得したドットと、透明色と、を対応付けてメモリ１０１に記憶させる。
【００４１】
次に、タッチパネル制御部１０６の処理の詳細について説明する。なお、以下ではタッチパネル３００がアナログ抵抗膜式のものである場合と、デジタル式のものである場合と、のそれぞれについて説明する。
【００４２】
図６は、アナログ抵抗膜式のタッチパネル３００ａを備える携帯電話１ａに含まれるタッチパネル制御部１０６ａの機能ブロックを示す図である。
【００４３】
同図に示すように、タッチパネル制御部１０６ａは、ＣＰＵ１１０ａ、タッチ操作検出部１１１ａ、ＡＤＣ（Analog-to-Digital Converter：ＡＤ変換器）１１２、データ補正部１１３、シーケンサ１１４ａ、発振部１１５、論理回路１１６を含んで構成される。
【００４４】
タッチパネル３００ａは、ユーザがタッチした入力面上の位置に応じた抵抗値を取得し、ＡＤＣ１１２に出力する。
【００４５】
ＡＤＣ１１２は、タッチパネル３００ａから入力された抵抗値をデジタル信号に変換し、データ補正部１１３に入力する。
【００４６】
データ補正部１１３は、ＡＤＣ１１２から入力されるデジタル信号に発生しうる読み取り誤差を、所定の補正処理により補正する。そして、補正後のデジタル信号をＣＰＵ１１０ａに入力する。
【００４７】
ＣＰＵ１１０ａは、入力されたデジタル信号をＣＰＵ１００に対して出力する。
【００４８】
タッチ操作検出部１１１ａは、タッチパネル３００ａからの抵抗値の入力を監視し、入力されたことをもって、入力面においてユーザによるタッチ操作（ユーザ指示操作）が行われたことを検出する。タッチ操作検出部１１１ａは、タッチ操作を検出すると、その旨を示すタッチ操作検出情報をＣＰＵ１１０ａに入力するとともに、メモリ１０７内の制御レジスタに記憶される処理イネーブルビットを０とする。この処理イネーブルビットは、タッチパネル３００ａから入力される抵抗値の処理を行うか否かを示す１ビットの情報である。メモリ１０７内の制御レジスタは、シーケンサ１１４ａを動作させるためのレジスタである。
【００４９】
シーケンサ１１４ａは上記処理イネーブルビットを監視し、該処理イネーブルビットが０である場合に、ＡＤＣ１１２及びデータ補正部１１３に処理を行わせる。一方、処理イネーブルビットが１である場合には、ＡＤＣ１１２及びデータ補正部１１３の処理を停止させる。
【００５０】
発振部１１５は、所定周期のクロック信号を発振する。ＣＰＵ１１０ａ及びシーケンサ１１４ａは、このクロック信号が入力されると、該クロック信号に同期して動作する。
【００５１】
論理回路１１６は、処理イネーブルビットが０である場合にクロック信号をシーケンサ１１４ａに入力し、処理イネーブルビットが１である場合にクロック信号をシーケンサ１１４ａに入力しない。これにより、シーケンサ１１４ａは、処理イネーブルビットが１である場合に、その処理を停止する。
【００５２】
ＣＰＵ１１０ａは、携帯電話１ａの上記各モードを切り替えることにより、いずれかのモードを有効にする。以下、図５及び図６を参照しつつ、具体的に説明する。
【００５３】
ＣＰＵ１１０ａは、タッチ操作検出情報が入力されたか否かに応じ、ＣＰＵ１００を介して、ＬＣＤ制御部１０４にＬＣＤ２０、ＬＥＤ２００、ＬＣＤ３０１、及びＬＥＤ３０２を制御させることにより、上記各モードを切り替える。
【００５４】
具体的には、通常動作モードが有効である場合においてタッチ操作検出情報が所定時間以上入力されない場合、ＣＰＵ１１０ａは、ＬＣＤ制御部１０４にＬＥＤ２００及びＬＥＤ３０２を消灯させ、第１低消費電力モードを有効にする。
【００５５】
また、第１低消費電力モードが有効である場合においてタッチ操作検出情報が所定時間以上入力されない場合、ＣＰＵ１１０ａは、ＬＣＤ制御部１０４にＬＣＤ２０及びＬＣＤ３０１を非表示とし、第３低消費電力モードを有効とする。
【００５６】
一方、第３低消費電力モードが有効である場合においてタッチ操作検出情報が入力されると、ＣＰＵ１１０ａは、ＬＣＤ制御部１０４にＬＥＤ３０２を点灯させ、第２低消費電力モードを有効にする。
【００５７】
第２低消費電力モードにおいて、さらにタッチ操作検出情報が入力されると、ＣＰＵ１１０ａは、タッチ操作検出部１１１ａにより検出されたタッチ操作により指示された入力面上の位置を示す座標を取得する。そして、取得された１又は複数の座標が所定の条件に合致するか否かを判定し、その判定結果に基づいて、ＬＣＤ２０及びＬＣＤ３０１の動作を制限する。すなわち、判定結果に基づいて、通常動作モード又は第３低消費電力モードのいずれかを有効にする。
【００５８】
より具体的には、メモリ１０７は、「○」、「×」、「△」、「☆」、「〒」、「卍」、「＃」、「開けゴマ」などのパターン画像を示すパターン画像情報を記憶している。ＣＰＵ１１０ａは、取得された１又は複数の座標について所定のパターン認識処理を行い、該１又は複数の座標がメモリ１０７に記憶される上記パターン画像の一を構成するか否かを判定する。そして、上記パターン画像の一を構成すると判定した場合に、ＬＣＤ制御部１０４にＬＣＤ２０及びＬＣＤ３０１を起動させるとともにＬＥＤ２００を点灯させ、通常動作モードを有効にする。一方、上記パターン画像の一を構成しないと判定した場合、第３低消費電力モードを有効にする。
【００５９】
さらに、ＣＰＵ１１０ａは、タッチ操作検出情報が所定時間以上入力されない場合、メモリ１０７に記憶される処理イネーブルビットを１とする。これにより、ＡＤＣ１１２及びデータ補正部１１３の処理が停止される。
【００６０】
図７は、デジタル式のタッチパネル３００ｂを備える携帯電話１ｂに含まれるタッチパネル制御部１０６ｂの機能ブロックを示す図である。
【００６１】
同図に示すように、タッチパネル制御部１０６ｂは、ＣＰＵ１１０ｂ、タッチ操作検出部１１１ｂ、シーケンサ１１４ｂ、発振部１１５、Ｘ位置レジスタ１１７、Ｙ位置レジスタ１１８、第１タッチ状態記憶部１１９、第２タッチ状態記憶部１２０を含んで構成される。
【００６２】
タッチパネル３００ｂは、ユーザがタッチした入力面上の位置の座標を取得し、そのＸ座標を示すデジタル信号をＸ位置レジスタ１１７に、そのＹ座標を示すデジタル信号をＹ位置レジスタ１１８に、それぞれ出力する。
【００６３】
Ｘ位置レジスタ１１７及びＹ位置レジスタ１１８は、ともに先入れ先出し方式の記憶手段であり、タッチパネル３００ｂから入力されるデジタル信号を記憶する。
【００６４】
ＣＰＵ１１０ｂは、Ｘ位置レジスタ１１７及びＹ位置レジスタ１１８に記憶されるデジタル信号を読み出し、ＣＰＵ１００に対して出力する。
【００６５】
タッチ操作検出部１１１ｂは、タッチパネル３００ｂからのデジタル信号の入力を監視し、入力されたことをもって、入力面においてユーザによるタッチ操作（ユーザ指示操作）が行われたことを検出する。タッチ操作検出部１１１ｂは、タッチ操作を検出すると、その旨を示すタッチ操作検出情報を第１タッチ状態記憶部１１９及び第２タッチ状態記憶部１２０に記憶させる。
【００６６】
第１タッチ状態記憶部１１９及び第２タッチ状態記憶部１２０は、ともにフリップフロップ回路により構成され、タッチ操作検出部１１１ｂから入力されるタッチ操作検出情報を記憶する。なお、第１タッチ状態記憶部１１９は、シーケンサ１１４ｂにより記憶している情報がリセットされるまでの間、タッチ操作検出情報を記憶する。一方、第２タッチ状態記憶部１２０は、後述するクロック信号の一周期の間、タッチ操作検出情報を記憶する。
【００６７】
シーケンサ１１４ｂは、第１タッチ状態記憶部１１９を監視し、タッチ操作検出情報が記憶されている場合に、Ｘ位置レジスタ１１７及びＹ位置レジスタ１１８にデジタル信号を記憶させる。一方、タッチ操作検出情報が記憶されていない場合には、Ｘ位置レジスタ１１７及びＹ位置レジスタ１１８にデジタル信号を記憶させない。
【００６８】
発振部１１５は、所定周期のクロック信号を発振する。ＣＰＵ１１０ｂ及びシーケンサ１１４ｂは、このクロック信号が入力されると、該クロック信号に同期して動作する。
【００６９】
ＣＰＵ１１０ｂは、携帯電話１ｂの上記各モードを切り替えることにより、いずれかのモードを有効にする。以下、図５及び図７を参照しつつ、具体的に説明する。
【００７０】
ＣＰＵ１１０ｂは、第２タッチ状態記憶部１２０を監視し、タッチ操作検出情報が記憶されたか否かに応じ、ＣＰＵ１００を介して、ＬＣＤ制御部１０４にＬＣＤ２０、ＬＥＤ２００、ＬＣＤ３０１、及びＬＥＤ３０２を制御させることにより、上記各モードを切り替える。
【００７１】
具体的には、通常動作モードが有効である場合においてタッチ操作検出情報が記憶されない状態が所定時間以上継続する場合、ＣＰＵ１１０ｂは、ＬＣＤ制御部１０４にＬＥＤ２００及びＬＥＤ３０２を消灯させ、第１低消費電力モードを有効にする。
【００７２】
また、第１低消費電力モードが有効である場合においてタッチ操作検出情報が記憶されない状態が所定時間以上継続する場合、ＣＰＵ１１０ｂは、ＬＣＤ制御部１０４にＬＣＤ２０及びＬＣＤ３０１を非表示とし、第３低消費電力モードを有効とする。
【００７３】
一方、第３低消費電力モードが有効である場合においてタッチ操作検出情報が記憶されると、ＣＰＵ１１０ｂは、ＬＣＤ制御部１０４にＬＥＤ３０２を点灯させ、第２低消費電力モードを有効にする。
【００７４】
第２低消費電力モードにおいてタッチ操作検出情報が記憶されると、ＣＰＵ１１０ｂは、タッチ操作検出部１１１ｂにより検出されたタッチ操作により指示された入力面上の位置を示す座標を取得する。そして、取得された１又は複数の座標が所定の条件に合致するか否かを判定し、その判定結果に基づいて、ＬＣＤ２０及びＬＣＤ３０１の動作を制限する。すなわち、判定結果に基づいて、通常動作モード又は第３低消費電力モードのいずれかを有効にする。
【００７５】
より具体的には、メモリ１０７は、「○」、「×」、「△」、「☆」、「〒」、「卍」、「＃」、「開けゴマ」などのパターン画像を示すパターン画像情報を記憶している。ＣＰＵ１１０ｂは、取得された１又は複数の座標について所定のパターン認識処理を行い、該１又は複数の座標がメモリ１０７に記憶される上記パターン画像の一を構成するか否かを判定する。そして、上記パターン画像の一を構成すると判定した場合に、ＬＣＤ制御部１０４にＬＣＤ２０及びＬＣＤ３０１を起動させるとともにＬＥＤ２００を点灯させ、通常動作モードを有効にする。一方、上記パターン画像の一を構成しないと判定した場合、第３低消費電力モードを有効にする。
【００７６】
さらに、ＣＰＵ１１０ｂは、タッチ操作検出情報が第２タッチ状態記憶部１２０に所定時間以上記憶されない場合、シーケンサ１１４ｂの処理を停止させる。こうして処理が停止されるに際し、シーケンサ１１４ｂは、第１タッチ状態記憶部１１９に記憶される情報をリセットする。
【００７７】
以上説明したように、携帯電話１によれば、座標が所定の条件に合致するか否かに基づいてＬＣＤ２０及びＬＣＤ３０１の動作を制限することができるので、ユーザが入力面に誤接触することによる通常動作モードへの移行が抑制される。
【００７８】
また、ＣＰＵ１１０は、座標がパターン画像を構成するか否かに基づいてＬＣＤ２０及びＬＣＤ３０１の動作を制限することができる。
【００７９】
さらに、ユーザがタッチ操作をしている間、ＬＥＤ３０２により入力面を照らすことができる（第２低消費電力モード）ので、入力面上を指示すべきところ誤って入力面外を指示してしまうなど、ユーザの誤操作を防止することができるようになる。
【００８０】
なお、本発明は上記実施の形態に限定されるものではない。例えば、上記実施の形態では、表示機能付座標入力装置として機能する折り畳み式の携帯電話について説明したが、ＰＤＡ（Personal Digital Assistant）など、表示機能付座標入力装置として機能する装置であれば、他のいかなる装置にも本発明を適用することが可能である。
【図面の簡単な説明】
【００８１】
【図１】本発明の実施の形態に係る携帯電話の外観を示す図である。
【図２】本発明の実施の形態に係る携帯電話のシステム構成を示す図である。
【図３】本発明の実施の形態に係るタッチスクリーンに表示される画面の初期状態を示す図である。
【図４】本発明の実施の形態に係るタッチスクリーンに「文字入力／お絵かき」画面を表示させた状態の携帯電話の外観を示す図である。
【図５】本発明の実施の形態に係る携帯電話のモード間の遷移を示す遷移図である。
【図６】本発明の実施の形態に係るアナログ抵抗膜式のタッチパネルを備える携帯電話に含まれるタッチパネル制御部の機能ブロックを示す図である。
【図７】本発明の実施の形態に係るデジタル式のタッチパネルを備える携帯電話に含まれるタッチパネル制御部の機能ブロックを示す図である。
【符号の説明】
【００８２】
１，１ａ，１ｂ  携帯電話、１０  タッチスクリーン、１１  発信アイコン、１２  着信アイコン、１３  お絵かきエリア、１４  線幅選択アイコン、１５  消しゴムアイコン、１６  色選択アイコン、２０，３０１  ＬＣＤ、３０  電源ボタン、３１  選択ボタン、３２  スクロールボタン、１００，１１０ａ，１１０ｂ  ＣＰＵ、１０１，１０５，１０７  メモリ、１０２  音声入出力部、１０３  ベースバンド処理部、１０４  ＬＣＤ制御部、１０６，１０６ａ，１０６ｂ  タッチパネル制御部、１１１ａ，１１１ｂ  タッチ操作検出部、１１２  ＡＤＣ、１１３  データ補正部、１１４ａ，１１４ｂ  シーケンサ、１１５  発振部、１１６  論理回路、１１７  Ｘ位置レジスタ、１１８  Ｙ位置レジスタ、１１９  第１タッチ状態記憶部、１２０  第２タッチ状態記憶部、２００，３０２  ＬＥＤ、３００，３００ａ，３００ｂ  タッチパネル。
【図１】
0004741402.tif 000002
【図２】
0004741402.tif 000003
【図３】
0004741402.tif 000004
【図４】
0004741402.tif 000005
【図５】
0004741402.tif 000006
【図６】
0004741402.tif 000007
【図７】
0004741402.tif 000008